(57)【要約】本発明は右および左円偏光フィルターを用いて記録したセキュリティー素子の２つの画像から差分画像を形成し、その画像に基づいてセキュリティー素子の真正性を検査する方法およびその方法を実行するための装置に関するものである。
2005534112.tif 000002
【特許請求の範囲】
【請求項１】
円偏光材料を含む少なくとも１つのマーキングを有して成る液晶材料を基本とするセキュリティー素子の真正性を検査する方法であって、
前記セキュリティー素子の照射光または反射光を第１偏光方向用の第１円偏光器によってフィルター処理し、該セキュリティー素子の第１画像を記録するステップ、
前記セキュリティー素子の照射光または反射光を第２偏光方向用の第２円偏光器によってフィルター処理し、該セキュリティー素子の第２画像を記録するステップ、
前記第１および第２画像から差分画像を特定するステップ、および
前記差分画像に基づき前記セキュリティー素子の真正性に関する見解を得るステップ
の各ステップを有して成ることを特徴とする方法。
【請求項２】
前記第１および第２円偏光器として、それぞれ右円偏光器および左円偏光器を用いることを特徴とする請求項１記載の方法。
【請求項３】
前記画像記録の間、前記セキュリティー素子に照明を当てることを特徴とする請求項１または２記載の方法。
【請求項４】
前記第１または第２画像を記録する間、前記第１または第２円偏光器を前記セキュリティー素子と前記画像を記録する装置との間に配することを特徴とする請求項１〜３いずれか１項記載の方法。
【請求項５】
前記第１または第２画像を記録する間、前記第１または第２円偏光器を前記照明装置と前記セキュリティー素子との間に配することを特徴とする請求項１〜３いずれか１項記載の方法。
【請求項６】
前記第１画像の記録と第２画像の記録との間に、前記円偏光器が自動変更されることを特徴とする請求項１〜３いずれか１項記載の方法。
【請求項７】
それぞれ別の画像記録装置を用いて前記第１画像および第２画像を記録することを特徴とする請求項１〜５いずれか１項記載の方法。
【請求項８】
前記第１画像および第２画像を同時に記録することを特徴とする請求項７記載の方法。
【請求項９】
前記２つの画像記録装置と前記セキュリティー素子との間に配した共通のビーム・スプリッタを用いて、前記第１画像および第２画像を記録することを特徴とする請求項７または８記載の方法。
【請求項１０】
前記画像記録装置としてビデオ・カメラまたはデジタル・カメラを用いることを特徴とする請求項１〜９いずれか１項記載の方法。
【請求項１１】
前記差分画像を電子的に評価することにより前記セキュリティー素子の真正性に関する見解を得ることを特徴とする請求項１〜１０いずれか１項記載の方法。
【請求項１２】
デジタル画像処理技術によって前記差分画像の電子的評価を行うことを特徴とする請求項１１記載の方法。
【請求項１３】
前記差分画像を図形として表示装置に表示することを特徴とする請求項１〜１２いずれか１項記載の方法。
【請求項１４】
前記差分画像をモニターまたはディスプレイに表示することを特徴とする請求項１３記載の方法。
【請求項１５】
導光ファイバー束状体によって前記セキュリティー素子に照明を当てることを特徴とする請求項３記載の方法。
【請求項１６】
前記差分を特定する前に、前記２つの画像の少なくとも１つまたはそのデータを修正することを特徴とする請求項１〜１５いずれか１項記載の方法。
【請求項１７】
前記真正性検査の結果を暗号化するか、または電子署名を付して伝送することを特徴とする請求項１〜１６いずれか１項記載の方法。
【請求項１８】
前記真正性検査を行うセキュリティー素子がコンテナのデポジット・トークンであることを特徴とする請求項１〜１７いずれか１項記載の方法。
【請求項１９】
円偏光材料を含む少なくとも１つのマーキングを有して成る液晶材料を基本とするセキュリティー素子の真正性を検査する装置であって、
少なくとも１つの左円偏光器および右円偏光器、
前記セキュリティー素子の１つまたは幾つかの画像を記録するための少なくとも１つの画像記録装置、および
差分画像を特定するための手段
を有して成ることを特徴とする装置。
【請求項２０】
前記差分画像を自動評価する手段を有して成ることを特徴とする請求項１９記載の装置。
【請求項２１】
１つまたは幾つかの画像の部分領域の強度値を記憶するための手段を有して成ることを特徴とする請求項１９または２０記載の装置。
【請求項２２】
照明装置を有して成ることを特徴とする請求項１９〜２１いずれか１項記載の方法。
【請求項２３】
前記照明装置が導光ファイバー束状体であることを特徴とする請求項２２記載の装置。
【請求項２４】
前記セキュリティー素子と画像記録装置との間に前記円偏光器が配されていることを特徴とする請求項１９〜２３いずれか１項記載の装置。
【請求項２５】
前記照明装置とセキュリティー素子との間に前記円偏光器が配されていることを特徴とする請求項２２または２３記載の装置。
【請求項２６】
前記円偏光器を自動的に変更する手段を有して成ることを特徴とする請求項１９〜２５いずれか１項記載の装置。
【請求項２７】
２つの画像記録装置を有して成ることを特徴とする請求項１９〜２５いずれか１項記載の装置。
【請求項２８】
前記セキュリティー素子と画像記録装置との間にビーム・スプリッタが配されていることを特徴とする請求項２７記載の装置。
【請求項２９】
前記差分画像を表示するための表示装置を有して成ることを特徴とする請求項１９〜２８いずれか１項記載の装置。
【請求項３０】
前記画像記録装置が少なくとも１つのデジタル・カメラまたはビデオ・カメラであることを特徴とする請求項１９〜２９いずれか１項記載の装置。
【請求項３１】
前記左円偏光器および右円偏光器が、左円偏光領域と右円偏光領域とが交互に市松模様に配されるようにして１つの偏光器に組み込まれ、該一体化された円偏光器が前記画像記録装置の検出器の前に直接配されていることを特徴とする請求項１９〜２４いずれか１項記載の装置。
【請求項３２】
少なくとも１つの前記画像記録装置に向けられたビーム経路に少なくとも１つのカラー・フィルターが配されていることを特徴とする請求項１９〜３１いずれか１項記載の装置。
【発明の詳細な説明】
【技術分野】
【０００１】
本発明は液晶材料に基づくセキュリティー素子の真正性を検査する方法、およびその方法を実行するための装置に関するものである。
【背景技術】
【０００２】
ドキュメント、有価証書、予備部品、薬品、あるいは民需部門における商標登録済み繊維製品またはその他の製品のような目的物は、模倣、偽造、および改竄から保護すると同時に、真正性の検査を可能とするために特別なセキュリティー素子を備えている。周知のセキュリティー素子には、例えば、紙に組み込まれる透かしまたはセキュリティー・スレッド、例えば、印刷インクに付加される発光粒子または磁気粒子、あるいは保護する目的物またはそのパッケージに箔素子として貼付されるエンボス加工によるホログラム等がある。周知のセキュリティー素子の製造には、模造が不可能また非常な努力を払わなければ不可能であると共に、容易に入手できない特殊な光学的特性を有する物質および顔料が用いられている。これには、例えば、観察角度または照明角度に応じて色彩が変化する薄膜顔料がある。このような顔料を含む模様のようなマーキングも“光学的に可変である”と呼ばれている。
【０００３】
このような光学可変材料には、整列状態における吸収および反射のような光学的特性が方向に依存する液晶材料も含まれる。優れた処理特性により、例えば、薄膜層または顔料の形態を成す架橋液晶ポリマーをセキュリティー素子に用いることができる。小板片または顔料として成るこのような液晶ポリマー、ラッカーまたはプラスチック、およびその他の高分子バインダーを印刷インクに付加し、例えば、印刷、ラッカー塗装、または製箔技術のような従来の方法によって加工することができる。液晶材料を含む顔料の製造および加工方法は、例えば、特許文献１に記載されている。
【０００４】
キラル相を有する液晶材料を観察すると、視角に応じて現れる色彩が変化するのみならず、反射光が円偏光される。この円偏光は材料の分子構造に依存し左または右円偏光となる。液晶材料を含むセキュリティー素子は、その光学可変特性により、例えば、方向に依存する光学的特性が高品質コピー機、スキャナー、あるいは撮影装置によって再生または模造が不可能であるという利点を有している。
【０００５】
例えば、有価証書やドキュメントのようなデータ担体は、液晶材料を含むセキュリティー素子を備えていることが特許文献２によって知られている。このようなセキュリティー素子の真正性検査にはカラー・フィルター、１/４波長板、ビーム・スプリッタ、線形偏光器、および一対の検出器が使用される。２つの検出器の信号強度を比較することによりセキュリティー素子の真正性が判定される。
【０００６】
特許文献３にもドキュメントおよび有価証書の保護に液晶材料が用いられることが記載されている。これらの材料は半透明領域、特に透かしの上に用いられる。真正性検査は、例えば、セキュリティー素子の透過光および反射光の一部を検出する検出器によって行われる。特に、装置による自動評価を行うために、隣接ストライプにおいて液晶材料の掌性が異なることを利用したストライプ・パターンを提案している。
【０００７】
しかしながら、特に信頼性が高く自動化が可能であり、素早く簡単に素人でも実施可能な新生改良型検査方法の必要性が依然としてある。別の側面において、特にコンテナに貼付される払戻し用デポジット・トークンの検査に適した方法が必要とされている。
【特許文献１】欧州特許出願公開第０６０１４８３号明細書
【特許文献２】欧州特許出願公開第０４３５０２９号明細書
【特許文献３】国際公開第９４/０２３２９号パンフレット
【発明の開示】
【発明が解決しようとする課題】
【０００８】
本発明の課題は、かかる方法およびその方法を実行するための装置を提供することである。
【課題を解決するための手段】
【０００９】
前記課題は独立請求項に記載の方法または装置によって解決される。
【００１０】
本発明の目的に適うセキュリティー素子は液晶材料に基づき、右円偏光材料を含む少なくとも１つの第１マーキング、および左円偏光材料を含む少なくとも１つの第２マーキングを有して成る素子である。別の素子として、右円偏光材料および左円偏光材料の両方を含む１つのマーキングのみを有する素子も可能である。本発明によれば、かかるセキュリティー素子の真正性検査として、セキュリティー素子の照射光または反射光のいずれか一方を基本的に所定の偏光方向の光のみを通過させる円偏光器に通し、セキュリティー素子から２つの画像を記録する。１つの画像に対し左円偏光光のみを通過させるフィルターを用いたとき、別の画像が右円偏光光を通過させる偏光器によってフィルター処理された光によって記録される。セキュリティー素子の２つの画像を基に差分画像を特定し、それによってセキュリティー素子の真正性に関する見解または判定が得られる。差分を特定する際、右円偏光材料を含むマーキングと左円偏光材料を含むマーキングとのコントラスト、およびこれらのマーキングと偏光材料を含まない周囲とのコントラストを強調することにより、画像中のマーキング位置の検索が容易になる。コントラストを強調することにより、マーキングの視覚認知が容易となり、機械、即ち、画像処理装置によるマーキングの編集が容易となる。また、強度または明度値を取得することにより、異なる偏光材料から差分画像を得ることもでき、それをセキュリティー素子の真正性検査の更なる情報として利用することも可能である。
【００１１】
本方法によれば視覚認知が可能であり、様々な偽造の試みを防止することができる。例えば、色彩がマーキングに似ているが偏光効果を有さない印刷インクを使用しても、差分画像にはマーキングは現れない。
【００１２】
別の実施の形態において、セキュリティー素子は１つの偏光材料、好ましくは左円偏光材料のみを含む１つのマーキングのみを備えている。また、検査は前記方法によって行われる。それぞれ右円偏光フィルターおよび左円偏光フィルターを用いて２つの画像が記録される。取得した差分画像からセキュリティー素子の真正性に関する見解または判定結果を得ることができる。１つの偏光方向のみを有するマーキングの場合、差分画像のコントラストが低下する。
【００１３】
キラル相を有する液晶材料を含むセキュリティー素子の反射光の偏光状態は肉眼では知覚できず、第１および第２マーキングを区別することができないため、見た目にはセキュリティー素子は均質に見える。右円偏光および左円偏光材料を含む第１および第２マーキングは、隣接配置、重複または互いを囲むか、あるいは離間して配することができる。所定の偏光方向を有する円偏光器を用いることにより、第１および第２マーキング領域の強度が明確に異なるセキュリティー素子の画像が記録または撮像される。しかし、例えば、適切な液晶顔料の混合体として右円偏光および左円偏光材料の両方を含む１つのマーキングのみが配されている場合、２つの異なる円偏光器を用いて画像を記録すると、少なくとも強度または明度が異なるマーキングが得られる。このマーキングの差異は製造技術の観点から有益である。即ち、それぞれ別々の場所に配され、異なる偏光方向材料を含むマーキングに比べ、例えば、１回の印刷によって製造することができる。
【００１４】
セキュリティー素子の画像を記録する場合、周辺光によるか撮像する領域に照明を当てることもできる。照明は、例えば、検査装置が携帯移動可能に設計されている場合に起こりがちであるが、周囲条件が好ましくないかまたは不安定な場合に有益である。照明装置により、画像記録領域を適切に照明することができる、即ち、充分な光強度を得ることができる。特に、正確に照明を当てることができるフレキシブル・ファイバー束状体から成る導光体が適している。照明装置を用いる場合、セキュリティー素子を不安定な周辺光から隔離し安定した再現可能な画像記録条件を整える遮蔽体を用いることが好ましい。
【００１５】
円偏光器は、照明側に配しセキュリティー素子を照明する光をフィルター処理することも、反射側に配しセキュリティー素子の反射光を通すこともできる。
【００１６】
撮像にはポイント毎またはライン毎にスキャンし、それぞれの強度を決定する方法が用いられる。これらの強度値を、取り分け電子記憶媒体に記憶し、その後修正または処理できるようにしておくことが好ましい。ライン毎のスキャンは高クロック速度による検査および動体の検査に適している。画像記録装置として特にデジタル・カメラまたはビデオ・カメラが適している。
【００１７】
右円偏光器および左円偏光器を用いて第１および第２画像を同時に記録することも逐次的に記録することもできる。２つの画像を逐次的に記録する場合には１つの撮像装置で足りる。２つの画像を記録する間における円偏光器の右から左またはその逆の切換えは手動で行うことができる。しかし、混乱を避け２つの画像を素早く記録するためには円偏光器による自動切換えが好ましい。フィルターは、線形および円運動、例えば、所謂“チョッパー・ホイール”のいずれによっても移動または変更することができる。２つの画像を逐次的に記録する場合には、その間セキュリティー素子を固定しておく必要がある。万一移動させた場合には、差分画像を特定する前にセキュリティー素子の２つの画像が合同になるよう画像処理によって補正することができる。
【００１８】
２つの画像を同時に記録すれば検査速度が速まるが、各々の画像を記録する２つの装置、例えば、カメラが必要になる。２つの画像に対し同一観察条件を確保するため、セキュリティー素子の反射光を２つの記録装置に等分岐するビーム・スプリッタを用いることが好ましい。この構成において、２つの偏光器（右円偏光器、および左円偏光器）をビーム・スプリッタの後に配する必要がある。
【００１９】
２つの画像から差分画像を特定する際、対応する画像領域が比較されることに注意する必要がある。このことは、例えば、検査対象物と記録装置とを注意深く配列することにより可能である。また、好ましくは電子的に記憶されている画像データを周知の画像処理アルゴリズムによって修正することによっても可能である。これにより、確実に同じ画像領域を用いて差分が特定される。各々の画像を修正または関連付けることにより、信号オフセット、散乱効果、または過度照明など必然的に発生するエラーまたは偏差を修正または少なくとも低減することができる。差分画像は第１画像の部分領域の強度値を第２画像の対応する部分領域の強度値から減じることによって得られる。セキュリティー素子の真正性に関する見解は差分画像の電子的評価によって得られる。これにはデジタル画像処理および/またはパターン認識技術が用いられることが好ましい。セキュリティー素子の真正性に関する見解は音響および/または光信号、または適切なデータ、例えば、検査報告書に変換することができる。検査結果は送り手と受け手との間で所定のプロトコルに基づいて情報を伝達する電子署名および/または所謂“メッセージ認証”と共に暗号化したデータによって伝送されることが好ましい。これにより、検査結果に自由にアクセスし不正に操作することが防止される。検査結果は検査装置の一部を成す通信モジュールまたは外部に送信することができる。検査したセキュリティー素子が、例えば、デポジット・トークンの場合には、検査結果を外部のキャッシュ・システムまたは交換所に送ることができる。別の方法または追加として、差分画像、および望ましい場合にはそれぞれの画像を、例えば、モニターまたはディスプレイのような表示装置に表示することができる。従って、必要があれば、検査したセキュリティー素子の真正性に関する決定を熟練検査員に委ねることもできる。
【００２０】
画像の評価を容易にする別の方法として、第１および第２画像の信号または明度値、並びにそれらによって特定された差分値をそれぞれＲＧＢモニターのチャンネルに送ることが可能である。共通画像の赤、緑および青成分が各々の画像の強度分布によって制御される。２つのマーキングおよびその周囲が明確に識別可能な色彩でＲＧＢ表示されるため、領域が広い場合であっても画像処理技術によってマーキングを容易に検索し確認することができる。信号をＲＧＢモニターのチャンネルに送る代わりに、データをデジタル的に記憶することができ、カラー情報はＲＧＢ以外のフォーマットでも記憶することができる。また、これらのデータを更に処理することもできる。
【００２１】
右円偏光および左円偏光フィルターの他にセキュリティー素子の真正性検査にカラー・フィルターを用いることができる。カラー・フィルターにより試験スペクトル領域を限定することにより、マーキングが光偏光特性を有するが光反射波長を有さず別の色彩に見えることにより、例えば、偽造を排除できるようにすることが好ましい。また、カラー・フィルターにより、透過範囲を液晶材料の色に対応させることにより、外部光または散乱光が真正性検査に与える悪影響を低減することができる。更に、カラー・フィルターにより、照明および/または視角の変化によってキラル相を有する液晶材料に発生する体色変化を検査することができる。このため、例えば、マーキングに対する異なる角度からの照明および/または反射光の異なる角度における測定が行われる。
【００２２】
本発明の方法の特別な実施の形態において、隣接し交互に市松模様に配された右および左領域を有する１つの円偏光器が用いられる。このようなフィルターをカメラの検出器の前に直接取り付けると、検出器によって記録される画像の個別画像ポイント（ピクセル）または画像領域に偏光方向を割り当てることができる。その結果、２つの個別画像を計算によって特定することができる。各々のフィルターが充分小さく且つ充分な分解能を有している場合には、各々の画像に発生するギャップを補間することができる。    
【発明を実施するための最良の形態】
【００２３】
以下、図面に示す実施の形態を参照して本発明について説明する。
【００２４】
図１は液晶材料を含む２つの印刷マーキング２、３を担持して成るラベルまたはタグとして形成されたセキュリティー素子１を示す図である。しかし、この液晶材料を含む印刷マーキングは、保護対象物またはそのパッケージに直接貼付することもできる。第１マーキング２は外形が円を成す第２マーキング３によってすべての辺を囲まれた三角形を成している。２つのマーキングは別の望ましい技術的に可能な任意の幾何学形状を成すことができる。２つのマーキングの１つが反射光を左円偏光する場合、別のマーキングの反射光は右円偏光される。反射光の偏光の違いは人間の目では知覚できず、２つのマーキングはキラル相を有する液晶顔料がもたらす視角に応じた周知の色彩変化を示す均一な表面に見える。
【００２５】
図２において、セキュリティー素子１が基体４の表面に直接貼付されている。例えば、マーキングを形成している層複合体の図示しない接着層または結合剤によって貼付することができる。この例では、マーキング２、３は密接な関係を有する２つの隣接領域を構成している。基体４は、例えば、紙、厚紙、プラスチック、または金属から成ることができ、例えば、デポジット・トークンを成すセキュリティー素子１が表面に形成される使い捨て容器の形態を成している。照明装置５として、特に、リフレクター付きスポット・ランプのような焦点調整が可能な光源が用いられる。この光源により２つのマーキング２、３の領域に照明が当てられ、反射光が円偏光器６に通される。セキュリティー素子の画像を記録する画像記録装置として、例えば、カメラ７が使用される。簡単な白黒ビデオ・カメラが小型且つ安価である。セキュリティー素子１の２つの画像は同じカメラ７によって記録されるが、右および左偏光用の異なる円偏光器６が用いられる。２つの画像はカメラ７または別の図示しない記憶媒体に一時的に記憶し、電子データ処理を行うシステムに転送することにより差分画像を得ることができる。
【００２６】
画像を記録するための別の構成を図３に示す。この例では、円偏光器６が照明装置５とセキュリティー素子１との間に配されている。マーキング２、３は介在層８を介して基体上に配されている。介在層は、例えば、プラスチック・フィルムまたは紙から成り、粘着ラベルの形態を成している。この実施の形態において、２つのマーキングは互いに離間して配されている。マーキングの幾何学形状および配置、並びに検査装置の構成要素に関わらず、照明が当てられ記録される領域は必ず両方のマーキングが捕捉される領域が選択される。
【００２７】
本発明の方法を実行するための別の好ましい構成を図４に示す。この例では、セキュリティー素子１が検査するドキュメント１０に印刷され、マーキングが部分的に重複している２つの円形を成している。液晶材料を含まない印刷要素１１により、周囲と図形的に一体化されている。マーキングの反射光がビーム・スプリッタ９により２つのブランチに等分岐されている。各々のブランチにはそれぞれカメラ７および円偏光器６が備えられ、１つのブランチにおいて、左円偏光光により画像が記録され、別のブランチにおいて右円偏光光により画像が記録される。カメラ７が記録した画像または信号は評価装置８、例えば、市販のパソコンに供給される。評価装置８はモニターを備え、とりわけ２つの画像およびその差分画像、または評価装置８によって判定された検査結果を表示することができる。この構成は画像記録を行う左円偏光光および右円偏光光が同じ照明から得られ、同じ画像記録条件の下で同時に画像を記録することができるため特に有益である。２つの独立した測定ブランチによりフィルターの変更を必要としない。従って、このような構成は、高スループットが望ましい検査または高クロック速度が必要な検査に特に適している。
【００２８】
図５は、図１のセキュリティー素子１の２つの画像およびその差分画像のコントラストの例を説明する図である。セキュリティー素子の２つの画像の１つが、例えば、左円偏光用の偏光器を用いて記録され、それをａ）と呼ぶ。三角形を成す内側領域に相当する第１マーキング２が反射光を左円偏光するキラル相を有する液晶材料を含んでいる場合には明るく表示される。外形が円を成す周囲領域が第２マーキング３に相当し、第２マーキングの材料が反射光を右円偏光する場合には暗い画像ｂ）として表示される。２つのマーキングを囲むセキュリティー素子１の領域は反射光の偏光状態を変化させる液晶材料を含んでいない。この領域からは残留光および散乱光のみが得られ、表面は低強度、例えば、ダーク・グレイの色調で表示される。
【００２９】
例えば、右円偏光フィルターを用いて記録されたｂ）と呼ぶ第２画像において、２つのマーキングのコントラストが反転している。第１マーキング２である左円偏光材料を含む内部三角領域が暗く見え、第２マーキング３である外形が円を成す右円偏光材料を含む領域が明るく表示される。この場合も、２つのマーキングの周囲領域は残留光および散乱光によって低強度に見える。
【００３０】
差分を特定する場合、常に周囲の強度値を除去し、位置の検索および確認を容易にするため２つのマーキングの１つを高コントラストで際立たたせる。前記例において、２つの画像の差分を取って（ａ−ｂ）差分画像を得ると、第１内部マーキングが三角形として明確に表示される。しかし、差分画像（ｂ−ａ）においては、外形が円を成す第２マーキングが強調される。すべての画像領域において、所定の閾値を越える領域を最大強度で示し、所定の閾値未満の領域を最低強度で示す一種の２進表記で差分画像を表すと、前記効果を高めることができる。例えば、各々の画像ポイントに標準の０〜２５５のグレー・スケール値を割り当てる白黒ビデオ・カメラで画像を記録した場合、例えば、１１０の閾値を設定することにより、特に高コントラストの白黒画像を得ることができる。この画像により、検査員の目視検査および画像処理アルゴリズムおよび/またはパターン認識アルゴリズムによる迅速かつ確実なマーキングの自動検査および評価を実施することができる。
【００３１】
別の差分取得方法は、特に画像処理による自動検査に適している。この場合、第１ステップにおいて、画像ａ）のマーキング２、３の形状が評価される。次に、画像データから所謂“ヒストグラム”が作成される、即ち、グレー色調の分布が特定される。画像ｂ）も同様に処理される。その後、ヒストグラムの値が更に処理され差分値が得られる。この方法には画像全体のデータ処理が必要なく、大幅に少ない量のデータ処理で済むという利点を有している。
【図面の簡単な説明】
【００３２】
【図１】セキュリティー素子の平面図。
【図２】本発明の方法を実行するための第１の構成。
【図３】本発明の方法を実行するための別の構成。
【図４】ビーム・スプリッタおよび２つのカメラを用いた本発明の方法を実行するための構成。
【図５】円偏光器によりもたらされた画像およびその差分画像を示す概略図。
【符号の説明】
【００３３】
１      セキュリティー素子
２      第１マーキング
３      第２マーキング
４      基体
５      照明装置
６      円偏光器
７      カメラ
８      介在層
９      ビーム・スプリッタ
１０    ドキュメント
１１    印刷要素
【図１】
2005534112.tif 000003
【図２】
2005534112.tif 000004
【図３】
2005534112.tif 000005
【図４】
2005534112.tif 000006
【図５】
2005534112.tif 000007
【国際調査報告】
2005534112.tif 000008
2005534112.tif 000009
2005534112.tif 000010
2005534112.tif 000011